(57)【要約】【課題】より簡単な操作で時刻表の必要な部分のみを明瞭に表示させる。【解決手段】時刻表画像を撮影するレンズ光学系12、ＣＣＤ13を含む撮像系と、この撮像系で得た時刻表画像を記憶するメモリカード29と、現在時刻を計時する計時部30と、メモリカード29に記憶された時刻表画像から計時部30で得られる現在時刻に対応する時刻表示欄の位置を検出し、検出した位置に基づいて時刻表画像から部分画像を抽出し、抽出した時刻表画像の部分画像を拡大して表示部26に表示させる制御部22とを備える。【選択図】      図１
2006108794.tif 000002
【特許請求の範囲】
【請求項１】
時刻表画像を撮影する撮像手段と、
この撮像手段で得た時刻表画像を記憶する記憶手段と、
現在時刻を計時する計時手段と、
上記記憶手段に記憶された時刻表画像から上記計時手段で得られる現在時刻に対応する時刻表示欄の位置を検出する検出手段と、
この検出手段で検出した位置に基づいて時刻表画像から部分画像を抽出する抽出手段と、
この抽出手段で得た時刻表画像の部分画像を拡大して表示画面に表示する表示制御手段と
を具備したことを特徴とする撮像表示装置。
【請求項２】
上記抽出手段は、現在時刻以降の時刻表示欄の部分画像を抽出することを特徴とする請求項１記載の撮像表示装置。
【請求項３】
上記抽出手段は、現在時刻の属する時刻表示欄を中心とした部分画像を抽出することを特徴とする請求項１記載の撮像表示装置。
【請求項４】
上記抽出手段は、現在時刻に対応する時刻表示欄を含む所定時間範囲の部分画像を抽出することを特徴とする請求項２または３記載の撮像表示装置。
【請求項５】
時刻表画像を撮影する撮像工程と、
この撮像工程で得た時刻表画像を記憶する記憶工程と、
現在時刻を計時する計時工程と、
上記記憶工程で記憶した時刻表画像から上記計時工程で得られる現在時刻に対応する時刻表示欄の位置を検出する検出工程と、
この検出工程で検出した位置に基づいて時刻表画像から部分画像を抽出する抽出工程と、
この抽出工程で得た時刻表画像の部分画像を拡大して表示画面に表示する表示制御工程と
を有したことを特徴とする撮像表示方法。
【請求項６】
画像を撮影して表示画面に表示可能な撮像表示装置に内蔵されたコンピュータが実行するプログラムであって、
時刻表画像を撮影する撮像ステップと、
この撮像ステップで得た時刻表画像を記憶する記憶ステップと、
現在時刻を計時する計時ステップと、
上記記憶ステップで記憶した時刻表画像から上記計時ステップで得られる現在時刻に対応する時刻表示欄の位置を検出する検出ステップと、
この検出ステップで検出した位置に基づいて時刻表画像から部分画像を抽出する抽出ステップと、
この抽出ステップで得た時刻表画像の部分画像を拡大して上記表示画面に表示する表示制御ステップと
をコンピュータに実行させることを特徴とするプログラム。
【発明の詳細な説明】
【技術分野】
【０００１】
本発明は、例えばデジタルカメラやカメラ機能付き携帯電話機等に好適な撮像表示装置、撮像表示方法及びプログラムに関する。
【背景技術】
【０００２】
近時、カメラ機能付きの携帯電話機やデジタルカメラが広く普及し、日常を取り巻く各種の映像、例えば目についた看板や町の風景等を手軽に記録して利用することが可能な環境となっている。
【０００３】
このようなカメラの利用法の１つとして、電車やバスの時刻表を撮影して記録しておき、必要に応じてその内容を読出して画面表示させ、確認することが考えられる。
【０００４】
しかしながら、被写体としての時刻表は細かい文字画像の集まりであり、高い解像度と鮮鋭度、及びコントラストが必要となるもので、撮影の仕方によっては手振れ等により容易にボケた、判読不能なものなってしまう可能性が高い。
【０００５】
この点で有効な手段の１つとして、簡単な操作によって手振れの有無を確認しつつ画像記録を進めることが可能な技術が考えられている。（例えば、特許文献１）
【特許文献１】特開２００１−１７７７５３号公報
【発明の開示】
【発明が解決しようとする課題】
【０００６】
例えば上記特許文献１のような技術を用いることで、手振れを生じずに判読可能な時刻表の画像を撮影し、記録することは可能となると思われる。
【０００７】
しかしながら、その記録した画像を読出して表示させる場合、一般にデジタルカメラにしてもカメラ付き携帯電話機にしても、撮影系のＣＣＤ等のイメージセンサの画素構成に比して表示系のＬＣＤパネルの画素構成は大幅に少ないので、撮影した画像の解像度をそのまま活かした表示を行なうことはできない。
【０００８】
そのため、記録した時刻表画像を読出して表示させる際には、画素を間引いて画像全体を表示させるか、あるいは部分画像を表示させるかのどちらかしか方法がなく、いずれにしてもユーザが必要としている時間帯の内容を選択して容量の小さい画面に明瞭に表示させるためには、どうしても煩雑なキー操作が必要となる。
【０００９】
本発明は上記のような実情に鑑みてなされたもので、その目的とするところは、より簡単な操作で時刻表の必要な部分のみを明瞭に表示させることが可能な撮像表示装置、撮像表示方法及びプログラムを提供することにある。
【課題を解決するための手段】
【００１０】
請求項１記載の発明は、時刻表画像を撮影する撮像手段と、この撮像手段で得た時刻表画像を記憶する記憶手段と、現在時刻を計時する計時手段と、上記記憶手段に記憶された時刻表画像から上記計時手段で得られる現在時刻に対応する時刻表示欄の位置を検出する検出手段と、この検出手段で検出した位置に基づいて時刻表画像から部分画像を抽出する抽出手段と、この抽出手段で得た時刻表画像の部分画像を拡大して表示画面に表示する表示制御手段とを具備したことを特徴とする。
【００１１】
請求項２記載の発明は、上記請求項１記載の発明において、上記抽出手段は、現在時刻以降の時刻表示欄の部分画像を抽出することを特徴とする。
【００１２】
請求項３記載の発明は、上記請求項１記載の発明において、上記抽出手段は、現在時刻の属する時刻表示欄を中心とした部分画像を抽出することを特徴とする。
【００１３】
請求項４記載の発明は、上記請求項２または３記載の発明において、上記抽出手段は、現在時刻に対応する時刻表示欄を含む所定時間範囲の部分画像を抽出することを特徴とする。
【００１４】
請求項５記載の発明は、時刻表画像を撮影する撮像工程と、この撮像工程で得た時刻表画像を記憶する記憶工程と、現在時刻を計時する計時工程と、上記記憶工程で記憶した時刻表画像から上記計時工程で得られる現在時刻に対応する時刻表示欄の位置を検出する検出工程と、この検出工程で検出した位置に基づいて時刻表画像から部分画像を抽出する抽出工程と、この抽出工程で得た時刻表画像の部分画像を拡大して表示画面に表示する表示制御工程とを有したことを特徴とする。
【００１５】
請求項６記載の発明は、画像を撮影して表示画面に表示可能な撮像表示装置に内蔵されたコンピュータが実行するプログラムであって、時刻表画像を撮影する撮像ステップと、この撮像ステップで得た時刻表画像を記憶する記憶ステップと、現在時刻を計時する計時ステップと、上記記憶ステップで記憶した時刻表画像から上記計時ステップで得られる現在時刻に対応する時刻表示欄の位置を検出する検出ステップと、この検出ステップで検出した位置に基づいて時刻表画像から部分画像を抽出する抽出ステップと、この抽出ステップで得た時刻表画像の部分画像を拡大して上記表示画面に表示する表示制御ステップとをコンピュータに実行させることを特徴とする。
【発明の効果】
【００１６】
請求項１記載の発明によれば、現在の時刻に対応して時刻表画像中の必要な部分のみを拡大し明瞭に表示させることが可能となる。
【００１７】
請求項２記載の発明によれば、上記請求項１記載の発明の効果に加えて、本当に必要な部分画像のみを抽出して拡大し、確実に見やすい状態で表示させることができる。
【００１８】
請求項３記載の発明によれば、上記請求項１記載の発明の効果に加えて、現在時刻を中心とした前後の部分画像を抽出して拡大表示することで、必要な内容のみならずその交通機関の前後の発着の傾向や度合い等をも窺い知ることができる。
【００１９】
請求項４記載の発明によれば、上記請求項２または３記載の発明の効果に加えて、表示画面の大きさと拡大倍率との兼ね合いにもよるが、現在時刻から直近の時刻表示欄だけではなく所定時間範囲の部分画像を抽出して表示することで、他の予定等をも考慮してその後のスケジュール等を検討することが可能となる。
【００２０】
請求項５記載の発明によれば、現在の時刻に対応して時刻表画像中の必要な部分のみを拡大して明瞭に表示させることが可能となる。
【００２１】
請求項６記載の発明によれば、現在の時刻に対応して時刻表画像中の必要な部分のみを拡大して明瞭に表示させることが可能となる。
【発明を実施するための最良の形態】
【００２２】
（実施の一形態の構成）  
以下本発明をデジタルカメラに適用した場合の実施の一形態について図面を参照して説明する。
【００２３】
図１は、このデジタルカメラ１０内の電子回路の機能構成について示すものである。  
基本モードである撮影モードでのモニタリング状態においては、モータ（Ｍ）１１の駆動により合焦位置や絞り位置が移動される、撮影レンズを含むレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
【００２４】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒ（ＹＵＶ信号）が生成され、ＤＭＡ（Ｄｉｒｅｃｔ  Ｍｅｍｏｒｙ  Ａｃｃｅｓｓ）コントローラ１９に出力される。
【００２５】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００２６】
制御部２２は、ＣＰＵと、このＣＰＵで実行される動作プログラムを固定的に記憶したＲＯＭ、及びワークメモリとして使用されるＲＡＭ等により構成され、このデジタルカメラ１０全体の制御動作を司るもので、上記輝度及び色差信号のＤＲＡＭ２１へのＤＭＡ転送終了後に、この輝度及び色差信号（ＹＵＶ信号）をＤＲＡＭインタフェース２０を介してＤＲＡＭ２１より読出し、ＶＲＡＭコントローラ２３を介してＶＲＡＭ２４に書込む。
【００２７】
表示エンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００２８】
この表示部２６は、バックライト付きのカラー液晶パネルで構成され、画像の撮影モード時にはモニタ表示部（電子ファインダ）として機能するもので、表示エンコーダ２５からのビデオ信号に基づいた表示を行なうことで、その時点で撮像素子である上記ＣＣＤ１３が取込んでいる画像情報に基づく画像をリアルタイムに表示することとなる。
【００２９】
このように表示部２６にその時点での撮影可能なスルー画像がリアルタイムに表示されている状態で、静止画撮影を行ないたいタイミングでキー入力部２７を構成するシャッタキーを操作すると、トリガ信号を発生する。
【００３０】
制御部２２は、このトリガ信号に応じてその時点でＣＣＤ１３から取込んでいる１画面分の輝度及び色差信号のＤＲＡＭ２１へのＤＭＡ転送を取り止め、あらためて適正な露出条件に従った絞り値及びシャッタ速度でＣＣＤ１３を走査駆動して１画面分の輝度及び色差信号を得てＤＲＡＭ２１へ転送し、その後にこの経路を停止し、記憶保存の状態に遷移する。
【００３１】
この記憶保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路２８に書込み、このＪＰＥＧ回路２８でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００３２】
そして、得た符号データを１画像のデータファイルとして該ＪＰＥＧ回路２８から読出し、このデジタルカメラ１０の記憶媒体として着脱自在に装着されるメモリカード２９に書込む。
【００３３】
このメモリカード２９は、内部に不揮発性メモリであるフラッシュメモリを封入したものであり、メモリカード２９に書込む画像データのファイルに関しては、例えばシャッタキー操作時に後述する計時部３０から得られる日付と時刻、及びシリアル番号とよりなる所定桁数、例えば「０４０６３０１２３４０００１．ｊｐｇ」のようなファイル名が自動的に付加されて記憶されるものとする。
【００３４】
因みに、上記ファイル名「０４０６３０１２３４０００１．ｊｐｇ」は、「（２０）０４」年「０６」月「３０」日「１２」時「３４」分に撮影した「０００１」番目のＪＰＥＧ方式で圧縮した静止画データであることを示している。
【００３５】
なお、このメモリカード２９とは別に、デジタルカメラ１０に内蔵したフラッシュメモリを有するものとしてもよく、さらにはメモリカードと内蔵のフラッシュメモリの双方を併用するものとしてもよい。
【００３６】
そして、１フレーム分の輝度及び色差信号の圧縮処理及びメモリカード２９への全圧縮データの書込み終了に伴なって、制御部２２はＣＣＤ１３からＤＲＡＭ２１への経路を再び起動する。
【００３７】
また、制御部２２には、キー入力部２７、計時部３０、ストロボ駆動部３１、及びＵＳＢインターフェイス（Ｉ／Ｆ）３２が接続される。
【００３８】
キー入力部２７は、上述したシャッタキーの他に、電源キー、撮影モードキー、再生モードキー、マクロキー、ストロボキー、メニュー（ＭＥＮＵ）キー、リングキー、及びセット（ＳＥＴ）キー等から構成され、それらのキー操作に伴なう信号は直接制御部２２へ送出される。
【００３９】
計時部３０は、このデジタルカメラ１０の電源のオン／オフとは関係なく現在時刻、すなわち日付（年月日）と時刻（時分秒）を計時し続けるＲＴＣ（Ｒｅａｌ  Ｔｉｍｅ  Ｃｌｏｃｋ）でなる。
【００４０】
ストロボ駆動部３１は、静止画像撮影時に図示しないストロボ用の大容量コンデンサを充電した上で、制御部２２からの制御に基づいてストロボ発光部３３を閃光駆動する。
【００４１】
ＵＳＢインターフェイス３２は、ＵＳＢコネクタ３４を介して有線接続される外部の情報機器、例えばパーソナルコンピュータとの間で画像データその他の送受を行なう場合の通信制御を行なう。
【００４２】
なお、上記通常の撮影モードとは別に、上記キー入力部２７の撮影モードキーの操作により時刻表撮影モードが設定可能であるものとし、その時刻表撮影モードにあっては、撮影した時刻表の画像ファイルがメモリカード２９に予め用意された時刻表フォルダに記憶されるものとする。
【００４３】
この時刻表フォルダに記憶される時刻表画像のファイル名は、上述したようにシャッタキー操作時に計時部３０から得られる日付と時刻、及びシリアル番号とより自動的に設定したものではなく、このデジタルカメラ１０のユーザが手動で任意に入力する、例えば「○○駅」のような内容であるものとする。
【００４４】
しかるに、静止画像ではなく動画像の撮影時においては、キー入力部２７のシャッタキーが１回目に操作されてから、上述した静止画像データのメモリカード２９への記憶を時間的に連続して実行し、該シャッタキーの２回目の操作がなされるか、または所定の制限時間、例えば３０秒が経過した時点で、メモリカード２９に記憶されている一連の静止画データをモーションＪＰＥＧの動画データファイル（ＡＶＩファイル）として記憶設定し直す。
【００４５】
また、再生モード時には、制御部２２がメモリカード２９に記憶されている画像データを選択的に読出し、ＪＰＥＧ回路２８で撮影モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容をＶＲＡＭコントローラ２３を介してＶＲＡＭ２４に記憶させ、このＶＲＡＭ２４よりＶＲＡＭコントローラ２３が定期的に画像データを読出して表示エンコーダ２５によりＲＧＢ信号を生成して表示部２６に出力する。
【００４６】
なお、選択した画像データが静止画像ではなく動画像であった場合、選択した動画像データのファイルを構成する個々の静止画像データの再生を時間的に連続して実行し、すべての静止画像データの再生を終了した時点で、次に再生の指示がなされるまでその動画像データの先頭に位置する静止画像データのみを用いて再生表示する。
【００４７】
（実施の一形態の動作）  
次に上記実施の形態の動作について説明する。
【００４８】
図２は、キー入力部２７の撮影モードキーの操作により時刻表撮影モードを設定して時刻表画像をメモリカード２９の時刻表フォルダに登録する際の処理内容を示すもので、その制御動作は基本的に制御部２２がＲＯＭに予め記憶している動作プログラムに基づいて実行するものである。
【００４９】
その当初に文字画像である時刻表の撮影を行なうべく、例えばレンズ光学系１２をマクロ撮影モードに切換えると共に、シャープネスをハード、コントラストを高めに設定して時刻表画像の撮影を開始し（ステップＲ０１）、その時点でＣＣＤ１３に結像している内容を表示部２６にスルー画像として表示させながら（ステップＲ０２）、キー入力部２７のシャッタキーが操作されたか否かを判断する（ステップＲ０３）、という処理を繰返し実行することで、該シャッタキーが操作されるのを待機する。
【００５０】
しかして、シャッタキーが操作されるとステップＲ０３でこれを判断し、得た画像データを一旦ＤＲＡＭ２１に保持した状態とした上で（ステップＲ０４）、この撮影した時刻表画像の保存を促すガイドメッセージとその選択肢を表示部２６で例えば  
「保存しますか？  
ＹＥＳ：ＳＥＴ／ＮＯ：ＭＥＮＵ」  
のように表示し（ステップＲ０５）、その表示通り保存を指示するキー操作がなされるか否かを判断する（ステップＲ０６）。
【００５１】
ここで、上記ガイドメッセージに対応して選択肢「ＮＯ」すなわち「ＭＥＮＵ」キーが操作された場合には、上記撮影してＤＲＡＭ２１に保持している時刻表画像が無効であるものとして再度撮影を行なうべく上記ステップＲ０１からの処理に戻る。
【００５２】
また、上記ガイドメッセージに対応して選択肢「ＹＥＳ」すなわち「ＳＥＴ」キーが操作された場合には、次いでその時刻表画像に該当する駅名の入力を促すガイドメッセージを表示部２６で例えば  
「駅名を入力して下さい」  
のように表示しながら（ステップＲ０７）、実際にその駅名が入力されるとカナ漢字変換等を含むその入力処理を実行し（ステップＲ０８）、当該駅名入力の処理が完了したか否か（ステップＲ０９）、という処理を繰返すことで駅名入力が完了するのを待機する。
【００５３】
しかして、駅名の入力が完了する所定のキー操作がなされた時点でこれをステップＲ０９で判断し、入力された駅名をファイル名としてメモリカード２９の時刻表フォルダに記憶設定すると共に（ステップＲ１０）、そのファイル名に対応するものとしてＤＲＡＭ２１に記憶していた時刻表画像のデータをＪＰＥＧ回路２８にてデータ圧縮した後にメモリカード２９の当該時刻表フォルダに記憶設定する（ステップＲ１１）。
【００５４】
これと共に表示部２６において時刻表画像の登録を終えたことを示すガイドメッセージを例えば  
「時刻表を登録しました」  
のように一定時間表示して（ステップＲ１２）、以上で時刻表の撮影と登録に関する一連の処理を終了し、この図２による処理を終了すると共に、時刻表撮影モードを自動的に解除する。
【００５５】
次に、メモリカード２９の時刻表フォルダにいくつかの時刻表画像のデータファイルが記憶されている状態で、そのうちの１つを選択して読出し、表示部２６で表示させる場合の動作について説明する。
【００５６】
図３は、キー入力部２７の再生モードキーの操作により時刻表再生モードを設定し、登録した時刻表画像をメモリカード２９の時刻表フォルダから読出して表示部２６で表示する際の処理内容を示すもので、その制御動作は上記図２と同じく、基本的に制御部２２がＲＯＭに予め記憶している動作プログラムに基づいて実行するものである。
【００５７】
その当初には、メモリカード２９の時刻表フォルダに記憶されている時刻表画像のデータファイルをサーチしてそのファイル名により駅名の一覧とそれらの中から１つを選択するのを促すガイドメッセージとを表示する（ステップＤ０１）。
【００５８】
いま、メモリカード２９の時刻表フォルダに図４に示すような３つの時刻表画像のデータファイルが記憶されているものとすると、それらのファイル名である３つの駅名「○○駅」「××駅」「△△駅」を表示部２６に一覧表示し、例えばそのうちの先頭に位置する駅名「○○駅」のみを仮の選択状態として反転表示すると共に、ガイドメッセージ  
「駅名を指定して下さい  
他候補：↑↓／指定：ＳＥＴ」  
のように表示する。
【００５９】
このような表示状態から、ガイドメッセージで示したキー操作を受付けることで駅名を指定する処理を実行するもので（ステップＤ０２）、リングキーの「↑」キーまたは「↓」キーが操作された場合にはその操作に対応して、表示部２６上で反転表示する候補の駅名を移動させ、併せて指定がなされたか否かを「ＳＥＴ」キーの操作の有無により判断する（ステップＤ０３）、という処理を繰返し実行することで、いずれかの駅名が指定されるのを待機する。
【００６０】
しかして、駅名が指定されるとステップＤ０３でこれを判断し、指定された駅名をファイル名とする時刻表画像データを読出してＤＲＡＭ２１に展開記憶させる（ステップＤ０４）。
【００６１】
図５は、このとき読出され、ＤＲＡＭ２１上に展開記憶された時刻表画像の内容を例示するものであり、「５」時台乃至「２３」時台に渡る範囲の発車時刻を示している。
【００６２】
制御部２２はここで、計時部３０が計時している現在の時刻を読取り（ステップＤ０５）、読取った時刻に基づき、上記ＤＲＡＭ２１に記憶させている時刻表画像を文字認識処理により解析して、現在時刻に対応する時刻表示欄を検出する（ステップＤ０６）。
【００６３】
図６は、このとき計時部３０が計時している現在の日付及び時刻を例示するものであり、これらのうちの時刻部分、すなわち「１０（時）：００（分）：００（秒）」に基づいて時刻表の画像中から、対応する「１０時台」の時刻表示欄を検出することとなる。
【００６４】
しかして、現在時刻に対応する時刻表示欄を検出すると、次いでその検出した表示欄を含んでそれ以降の所定範囲、例えば計７時間分の表示欄を部分画像として抽出し（ステップＤ０７）、抽出した部分画像を表示部２６の表示容量に対応して適宜拡大して表示し（ステップＤ０８）、以上でこの図３に係る時刻表再生モードの一連の処理を終了するものとする。
【００６５】
図７は、このとき表示部２６に表示される「１０時台」乃至「１６時台」の計７時間分の時刻表の部分画像を例示するものであり、上記図５で示した１日分の時刻表画像に比して、現在の時刻に対応した７時間部分のみが抽出され、拡大して表示されていることがわかる。
【００６６】
（実施の一形態の効果）  
このように、予め登録している時刻表画像中からそのファイル名である駅名を選択して指定するだけのキー操作により、現在の時刻に対応して時刻表画像中の必要な部分のみを自動的に抽出し、拡大して表示部２６で明瞭に表示させることが可能となる。
【００６７】
この場合、特に現在の時刻に対応する表示欄以降の所定範囲を表示するようにしたので、本当に必要な部分画像のみを抽出して拡大し、確実に見やすい状態で表示させることができる。
【００６８】
加えて、表示部２６の画面の大きさと時刻表画像の各表示欄内の時刻の数に応じた拡大倍率との兼ね合いにもよるが、現在時刻から直近の時刻表示欄だけではなく、ある程度の時間幅を有する所定時間範囲、例えば７時間分の部分画像を抽出して表示することで、他の予定等をも考慮してその後のスケジュール等を検討することが可能となる。
【００６９】
（実施の一形態の他の動作）  
なお、上記図３の処理では、特に現在の時刻に対応する表示欄以降の所定範囲を表示するものとして説明したが、本発明はこれに限らず、現在時刻を中心とした所定範囲の前後の部分画像を抽出して拡大表示するものとしてもよい。
【００７０】
以下、時刻表再生モード時の他の動作例についても説明する。  
図８は、キー入力部２７の再生モードキーの操作により時刻表再生モードを設定し、登録した時刻表画像をメモリカード２９の時刻表フォルダから読出して表示部２６で表示する際の処理内容を示すもので、その制御動作は上記図２と同じく、基本的に制御部２２がＲＯＭに予め記憶している動作プログラムに基づいて実行するものである。
【００７１】
その当初には、メモリカード２９の時刻表フォルダに記憶されている時刻表画像のデータファイルをサーチしてそのファイル名により駅名の一覧とそれらの中から１つを選択するのを促すガイドメッセージとを表示する（ステップＤ０１）。
【００７２】
いま、メモリカード２９の時刻表フォルダに上記図４に示したような３つの時刻表画像のデータファイルが記憶されているものとすると、それらのファイル名である３つの駅名「○○駅」「××駅」「△△駅」を表示部２６に一覧表示し、例えばそのうちの先頭に位置する駅名「○○駅」のみを仮の選択状態として反転表示すると共に、ガイドメッセージ  
「駅名を指定して下さい  
他候補：↑↓／指定：ＳＥＴ」  
のように表示する。
【００７３】
このような表示状態から、ガイドメッセージで示したキー操作を受付けることで駅名を指定する処理を実行するもので（ステップＤ０２）、リングキーの「↑」キーまたは「↓」キーが操作された場合にはその操作に対応して、表示部２６上で反転表示する候補の駅名を移動させ、併せて指定がなされたか否かを「ＳＥＴ」キーの操作の有無により判断する（ステップＤ０３）、という処理を繰返し実行することで、いずれかの駅名が指定されるのを待機する。
【００７４】
しかして、駅名が指定されるとステップＤ０３でこれを判断し、指定された駅名をファイル名とする時刻表画像データを読出してＤＲＡＭ２１に展開記憶させる（ステップＤ０４）。
【００７５】
このときに読出され、ＤＲＡＭ２１上に展開記憶される時刻表画像の内容は上記図５に示したものと同様であるものとする。
【００７６】
ここで制御部２２は、計時部３０が計時している現在の時刻を読取り（ステップＤ０５）、読取った時刻に基づき、上記ＤＲＡＭ２１に記憶させている時刻表画像を文字認識処理により解析して、現在時刻に対応する時刻表示欄を検出する（ステップＤ０６）。
【００７７】
このとき計時部３０が計時している現在の日付及び時刻が上記図６に示した通りであるものとすると、制御部２２はその時刻部分、すなわち「１０（時）：００（分）：００（秒）」に基づいて時刻表の画像中から、対応する「１０時台」の時刻表示欄を検出することとなる。
【００７８】
しかして、現在時刻に対応する時刻表示欄を検出すると、次いでその検出した表示欄を中心とした所定範囲、例えば前後各３時間を含む計７時間分の表示欄を部分画像として抽出し（ステップＤ２１）、抽出した部分画像を表示部２６の表示容量に対応して適宜拡大して表示し（ステップＤ０８）、以上でこの図８に係る時刻表再生モードの一連の処理を終了するものとする。
【００７９】
図７は、このとき表示部２６に表示される「１０時台」乃至「１６時台」の計７時間分の時刻表の部分画像を例示するものであり、上記図５で示した１日分の時刻表画像に比して、現在の時刻に対応した７時間部分のみが抽出され、拡大して表示されていることがわかる。
【００８０】
（実施の一形態の他の効果）  
このように、上記図３で説明した場合と異なり、現在時刻を中心として前後の所定時間幅分の部分画像を抽出して拡大表示することで、その時点以降に必要となる内容のみならず、その交通機関の前後の発着の傾向や度合い等をも窺い知ることができる。
【００８１】
なお、上記実施例では、時刻表画像のデータファイルをまとめて記憶する時刻表フォルダは、このデジタルカメラ１０に対して着脱自在に設けられるメモリカード２９に記憶されるものとして説明したが、このメモリカード２９の他に、固定的にこのデジタルカメラ１０に内蔵されるフラッシュメモリを並設するものとし、この内蔵のフラッシュメモリに時刻表フォルダが記憶されるものとしてもよい。
【００８２】
こうすることで、このデジタルカメラ１０を所持している限り、メモリカード２９の有無や交換等に拘わらず、時刻表画像を確実に利用することができる。
【００８３】
なお、上記実施の形態はデジタルカメラに適用した場合について説明したが、本発明はこれに限るものではなく、それぞれカメラ機能を有する、携帯電話機やＰＤＡ（Ｐｅｒｓｏｎａｌ  Ｄｉｇｉｔａｌ  Ａｓｓｉｓｔａｎｔｓ：個人向け情報携帯端末）、情報処理端末（ハンディターミナル）、ハンドヘルドコンピュータ等の各種情報処理装置にも同様に適用可能となる。
【００８４】
その他、本発明は上記実施の形態に限らず、その要旨を逸脱しない範囲内で種々変形して実施することが可能であるものとする。
【００８５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００８６】
【図１】本発明の実施の一形態に係るデジタルカメラの電子回路の機能構成を示すブロック図。
【図２】同実施の形態に係る時刻表撮像登録時の処理内容を示すフローチャート。
【図３】同実施の形態に係る時刻表再生モードでの処理内容を示すフローチャート。
【図４】同実施の形態に係る時刻表フォルダ内の記録状態を例示する図。
【図５】同実施の形態に係る記憶した時刻表画像の内容を例示する図。
【図６】同実施の形態に係る計時部での現在の日付及び時刻の計時内容を例示する図。
【図７】同実施の形態に係る拡大表示する時刻表の部分画像を例示する図。
【図８】同実施の形態に係る時刻表再生モードでの他の処理内容を示すフローチャート。
【図９】同実施の形態に係る拡大表示する時刻表の他の部分画像を例示する図。
【符号の説明】
【００８７】
１０…デジタルカメラ、１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…ＶＲＡＭコントローラ、２４…ＶＲＡＭ、２５…表示エンコーダ、２６…表示部、２７…キー入力部、２８…ＪＰＥＧ回路、２９…メモリカード、３０…計時部、３１…ストロボ駆動部、３２…ＵＳＢインターフェイス（Ｉ／Ｆ）、３３…ストロボ発光部、３４…ＵＳＢコネクタ。
【図１】
2006108794.tif 000003
【図２】
2006108794.tif 000004
【図３】
2006108794.tif 000005
【図４】
2006108794.tif 000006
【図５】
2006108794.tif 000007
【図６】
2006108794.tif 000008
【図７】
2006108794.tif 000009
【図８】
2006108794.tif 000010
【図９】
2006108794.tif 000011